(57)【特許請求の範囲】
【請求項１】
各画素のアドレスと画像信号とからなる元データを変換するデータ変換回路と、当該データ変換回路の指示に従って画像を表示する液晶表示部とを有する液晶表示装置において、
前記液晶表示部は、前記元データの画素数よりも多い画素数を有するものであり、
前記データ変換回路は、前記元データの各１画素に対応する前記液晶表示部の各１画素に対して当該元データの画像信号を表示させると共に、当該液晶表示部におけるその他の画素に当該画像信号に基づいて得られた補間信号を表示させ、
前記補間信号として、少なくとも前記元データを平均した複数の補間信号を比較し、比較した補間信号のうちの階調値が大きな値または小さな値の一方を採用すること
を特徴とする液晶表示装置。
【請求項２】
請求項１記載の液晶表示装置において、
前記液晶表示部は、前記元データにおける水平方向及び垂直方向のうちの少なくとも何方か一方の画素数を整数倍した画素数を有すること
を特徴とする液晶表示装置。
【請求項３】
請求項１記載の液晶表示装置において、
前記液晶表示部の各画素は、多結晶シリコンからなるシリコン層にソース領域及びドレイン領域を設けてなる薄膜トランジスタを備えたこと
を特徴とする液晶表示装置。
【請求項４】
請求項３記載の液晶表示装置において、
前記薄膜トランジスタの信号線及びゲート線は、アルミニウム、銅及び銀のうちの少なくとも１つを用いて形成されたこと
を特徴とする液晶表示装置。
【発明の詳細な説明】
【０００１】
【発明の属する技術分野】
本発明は、液晶表示装置に関し、特には高解像度を有する液晶表示装置に関する。
【０００２】
【従来の技術】
図１０に示すように、液晶表示装置の液晶表示部は、正方形の画素１をマトリクス状に配列してなるものである。例えば、パーソナルコンピュータ用の液晶表示部の解像度は、ＸＧＡ(extended graphics array：1024×768 画素) 、ＳＸＧＡ(superＸＧＡ：1280×1024画素）、ＵＸＧＡ(ultraＸＧＡ：1600×200 画素）等の出力表示方式によって規定されている。また、カラー表示が可能な液晶表示部においては、各画素を水平方向に３分割してなる各ドット２に、Ｒ，Ｇ，Ｂの各色が表示される。
【０００３】
そして、図１１に示すように、液晶表示装置においては、画像データソース３にＸＧＡ表示方式で格納されている画像の元データは、データ変換回路（図示省略）の指示に従って同一の表示方式（すなわちＸＧＡ）に構成された液晶表示部４に表示される。
また、例えば特開平4-356095号公報に記載されているように、画素毎に表示階調を制御して中間階調を生成する機能をデータ変換回路に持たせることで、液晶表示部が本来持っている表示色以上の多色表示を可能にしているものもある。
【０００４】
【発明が解決しようとする課題】
液晶表示装置の製造技術の進展により、液晶表示部においては画素の微細化が進行し、単位面積当たりの画素数を増加できるようになってきている。
ところが、上述のように、パーソナルコンピュータ用の液晶表示装置の解像度は出力表示方式によって規定されており、データ変換回路で処理できるグラフィックデータもこの出力表示方式に合わせた画素数に統一されている。
【０００５】
このため、例え液晶表示部の解像度が、規定された出力表示方式の画素数を超える高精細な画素数になったとしても、これを有効に活用してすることはできない。すなわち、液晶表示部における各画素形状は正方形であり、文字や写真画像等の画像はこれらの画素の集合体で表現されるため、画像の曲線部分には各画素形状を反映した階段状のギザギザが表示されることになるのである。
【０００６】
このギザギザを軽減するために、ギザギザのエッジ部分に位置する画素の画像データを補間する表示方法も複数考案されている。しかし、このような方法であっても、上述の画素数の規定範囲内での補正であり、現存する画像表示データをより高精細な画素数を有する液晶表示部に表示させる際、この画素数を有効に活用できるわけではない。これは、先述の特開平4-356095号公報に記載されたカラーパネル表示制御システムでも同様である。しかも、このシステムでは、特定の１の輝度が経時的に変位するため、フリッカーとして認識されてしまい、良好な画像を得ることができない。
【０００７】
そこで本発明は、元データの画素数よりも多い画素数を有する液晶表示部に、この画素数を生かして曲線部分を滑らかに表示させることが可能な液晶表示装置を提供することを目的とする。
【０００８】
【課題を解決するための手段】
このような目的を達成するために成された本発明は、各画素のアドレスと画像信号とからなる元データを変換するデータ変換回路と、当該データ変換回路の指示に従って画像を表示する液晶表示部とを有する液晶表示装置において、前記液晶表示部は、前記元データの画素数よりも多い画素数を有するものである。そして、前記データ変換回路は、前記元データの各１画素に対応する前記液晶表示部の各１画素に対して当該元データの画像信号を表示させると共に、当該液晶表示部におけるその他の画素に当該画像信号に基づいて得られた補間信号を表示させるものであることを特徴としている。
【０００９】
このような液晶表示装置では、元データと１対１に対応する画素にのみ元データの画像信号が表示され、その他の画素には補間信号が表示される。すなわち、液晶表示部の各画素には、その画素に固有の画像信号または補間信号が表示されることになる。したがって、元データよりも画素数の多い液晶表示部において、各画素毎に対応する個別の表示が行われる。
【００１０】
この液晶表示装置の液晶表示部は、前記元データの水平方向及び垂直方向のうちの少なくとも何方か一方の画素数を整数倍した画素数を有している。これによって、液晶表示部に均等に元データの画像信号が表示されることになる。
【００１１】
【発明の実施の形態】
以下、本発明を適用した液晶表示装置の実施の形態を図面に基づいて説明する。図１は本発明の一実施形態例を説明するための表示図であり、図２は本発明の一実施形態例を示すシステムブロック図である。ここでは、パーソナルコンピュータ用の表示装置として用いられる液晶表示装置を例に採って実施の形態を説明する。
【００１２】
これらの図に示すように、この液晶表示装置は、画像信号の元データが格納された画像データソース１１、この画像データソース１１から供給された元データを変換処理するデータ変換回路１２、及びデータ変換回路１２から供給されたデータに基づいて画像を表示する液晶表示部１３を備えている。
【００１３】
画像データソース１１には、例えば、図１（１）に示すようなＸＧＡ表示方式で画像の元データが格納されるている。この元データは、ＸＧＡ表示方式に従い、１０２４（水平方向）×７６８（垂直方向）個の各画素に対応するアドレス（ｘ，ｙ）と、各画素の画像信号ｄ（ｘ，ｙ）とで構成されている。
【００１４】
液晶表示部１３は、例えば図１（２）に示すようなＱＸＧＡ(quadra ＸＧＡ：ＸＧＡの画素を水平方向及び垂直方向に２倍した表示方式）で画像を表示するものであり、ＱＸＧＡ表示方式に従い２０４８（水平方向）×１５３６（垂直方向）個の正方形の画素をマトリクス状に配列してなる。ここでは図示を省略したが、カラー表示が可能な液晶表示部においては、各画素を水平方向に３分割してなる各ドットに、Ｒ，Ｇ，Ｂの各色が表示される。液晶表示部１３の各画素には、アドレス（Ｘ，Ｙ）が付与されており、データ変換回路１２の指示にしたがってそれぞれ個別に表示信号Ｄ（Ｘ，Ｙ）を表示することで画像が表示されるようになっている。
【００１５】
そして、データ変換回路１２においては、ＸＧＡ表示方式で画像データソース１１に格納された元データを、ＱＸＧＡ表示方式の液晶表示部１３に画像を表示させるために、以下のようなデータ変換を行う。
【００１６】
先ず、画像データソース１１に格納された元データの各画素と１：１で対応する対応する液晶表示部１３の各画素に対して、元データの画像信号ｄ（ｘ，ｙ）をそのまま表示させる。
このような表示を行うために、元データにおける各画素のアドレス（ｘ，ｙ）を、液晶表示部１３の各画素のアドレス（Ｘ，Ｙ）に対応するように次の式（１）にて変換する。
（Ｘ，Ｙ）＝（２ｘ，２ｙ）…（１）
【００１７】
そして、上記式（１）の条件を満たすアドレス（Ｘ，Ｙ）を有する液晶表示部１３の各画素、すなわち、図１（２）において太線で囲まれた画素に、元データの画像信号ｄ（ｘ，ｙ）をそのまま表示信号Ｄ（Ｘ，Ｙ）として表示させる。
【００１８】
例えば、液晶表示部１３のアドレス（Ｘ，Ｙ）＝（２ｘ，２ｙ）＝（２，２）には、元データのアドレス（ｘ，ｙ）＝（１，１）の画像信号ｄ（１，１）を、表示信号Ｄ（２，２）としてそのまま表示させる。以下同様に、液晶表示部１３のアドレス（Ｘ，Ｙ）＝（２，４）には、元データのアドレス（ｘ，ｙ）＝（１，２）の画像信号ｄ（１，２）を、表示信号Ｄ（２，４）としてそのまま表示させる。
【００１９】
一方、上記式（１）の条件を満たさないその他アドレス（Ｘ，Ｙ）、すなわち下記式（２）〜（４）に当てはまるアドレス（Ｘ，Ｙ）を有する液晶表示部１３の各画素には、元データの画像信号ｄ（ｘ，ｙ）に基づいて得られた補間信号を表示信号Ｄ（Ｘ，Ｙ）として表示させる。
（Ｘ，Ｙ）＝（２ｘ−１，２ｙ−１）…（２）
（Ｘ，Ｙ）＝（２ｘ−１，２ｙ    ）…（３）
（Ｘ，Ｙ）＝（２ｘ    ，２ｙ−１）…（４）
【００２０】
つまり、式（２）の条件を満たすアドレス（Ｘ，Ｙ）＝（２ｘ−１，２ｙ−１）を有する液晶表示部１３の各画素、すなわち、図１（２）における各画素Ａには、斜め方向に隣接する各画素の表示信号Ｄ（Ｘ±１，Ｙ±１）に基づいて得られた補間信号を表示信号Ｄ（Ｘ，Ｙ）として表示させる。
【００２１】
例えば、液晶表示部１３のアドレス（Ｘ，Ｙ）＝（２ｘ−１，２ｙ−１）＝（３，３）に表示する表示信号Ｄ（３，３）には、次のようにして得られた補間信号のうち適宜選択される補間信号を適用する。
表示信号Ｄ（Ｘ−１，Ｙ−１）＝Ｄ（２，２）と表示信号Ｄ（Ｘ＋１，Ｙ＋１）＝Ｄ（４，４）とを平均した補間信号と、表示信号Ｄ（Ｘ−１，Ｙ＋１）＝Ｄ（２，４）と表示信号Ｄ（Ｘ＋１，Ｙ−１）＝Ｄ（４，２）とを平均した補間信号とを比較して階調値の大きな（または小さな）補間信号。
または、表示信号Ｄ（Ｘ−１，Ｙ−１）＝Ｄ（２，２）、表示信号Ｄ（Ｘ＋１，Ｙ＋１）＝Ｄ（４，４）、表示信号Ｄ（Ｘ−１，Ｙ＋１）＝Ｄ（２，４）及び表示信号Ｄ（Ｘ＋１，Ｙ−１）＝Ｄ（４，２）を平均した補間信号。
【００２２】
また、式（３）の条件を満たすアドレス（Ｘ，Ｙ）＝（２ｘ−１，２ｙ）を有する液晶表示部１３の各画素、すなわち、図１（２）における各画素Ｂには、水平方向に隣接する各画素の表示信号Ｄ（Ｘ±１，Ｙ）に基づいて得られた補間信号を表示信号Ｄ（Ｘ，Ｙ）として表示させる。
【００２３】
例えば、液晶表示部１３のアドレス（Ｘ，Ｙ）＝（２ｘ−１，２ｙ）＝（３，２）に表示する表示信号Ｄ（３，２）には、次のようにして得られた補間信号のうち適宜選択される補間信号を適用する。
表示信号Ｄ（Ｘ−１，Ｙ）＝Ｄ（２，２）と表示信号Ｄ（Ｘ＋１，Ｙ）＝Ｄ（４，２）とを平均した補間信号。
または、表示信号Ｄ（Ｘ−１，Ｙ）＝Ｄ（２，２）と表示信号Ｄ（Ｘ＋１，Ｙ）＝Ｄ（４，２）とを比較して階調値の大きな（または小さな）何方か一方。
【００２４】
また、式（４）の条件を満たすアドレス（Ｘ，Ｙ）＝（２ｘ，２ｙ−１）を有する液晶表示部１３の各画素、すなわち、図１（２）における各画素Ｃには、垂直方向に隣接する各画素の表示信号Ｄ（Ｘ，Ｙ±１）に基づいて補間した補間信号Ｄ（Ｘ，Ｙ）を表示させる。
【００２５】
例えば、液晶表示部１３のアドレス（Ｘ，Ｙ）＝（２ｘ，２ｙ−１）＝（２，３）に表示する表示信号Ｄ（２，３）には、次の補間信号のうち適宜選択される補間信号を適用する。
表示信号Ｄ（Ｘ，Ｙ−１）＝Ｄ（２，２）と表示信号Ｄ（Ｘ，Ｙ＋１）＝Ｄ（２，４）とを平均した補間信号。
または、表示信号Ｄ（Ｘ，Ｙ−１）＝Ｄ（２，２）と表示信号Ｄ（Ｘ，Ｙ＋１）＝Ｄ（２，４）とを比較して階調値の大きな（または小さな）何方か一方。
【００２６】
以上のようにして、液晶表示部１３の全画素に対して、それぞれ個別の表示信号Ｄ（Ｘ，Ｙ）、すなわち元データの画像信号ｄ（ｘ，ｙ）または補間信号を表示し、これによって液晶表示部１３に画像を表示させる。
【００２７】
以上説明した液晶表示装置によれば、元データと１対１に対応する画素にのみ元データの画像信号ｄ（ｘ、ｙ）がそのまま表示信号Ｄ（Ｘ、Ｙ）として表示され、その他の画素にはこれらの画像信号ｄ（ｘ，ｙ）から得られた補間信号が表示信号Ｄ（Ｘ、Ｙ）として表示される。このため、液晶表示部の各画素には、その画素に固有の表示信号Ｄ（Ｘ、Ｙ）、すなわち画像信号または補間信号が表示されることになる。したがって、元データよりも画素数の多い液晶表示部において、各画素毎の細かな表示が行われ、階段状の曲線部分を滑らかに表示することが可能になる。
【００２８】
また、この液晶表示装置の液晶表示部は、元データの水平方向及び垂直方向の画素数を整数倍（２倍）した画素数を有している。このため、液晶表示部の水平方向及び垂直方向に均等に元データの画像信号を表示することが可能になる。
【００２９】
尚、式（２）〜（４）に当てはまるアドレス（Ｘ，Ｙ）を有する画素のうち、水平方向、垂直方向及び斜め方向に隣接する画素に表示信号Ｄ（Ｘ，Ｙ）が供給される画素（すなわち図面において破線で囲んだ画素）に対してのみ、補間信号を算出する処理を行うようにプログラムすることで、データ変換回路１２における処理の高速化を図るようにしても良い。
【００３０】
また、表示信号として使用する補間信号の算出方法は、液晶表示部１３で表示する画像の対象（例えば文字であるのか写真であるのか）によって適宜選択されるように、予め表示品質を調べてプログラムしておく。例えば、写真画像のように、画像領域を大きく捕らえる場合には、周囲の画素の画像信号を平均して階調値を分散させた補間信号を採用する。一方、文字画像のように、隣接する画素との連続性が重要視される場合には、階調値の大きい（または小さい）補間信号を採用する。
【００３１】
図３は本発明の他の施形態例を説明するための表示図であり、画像データソースに格納された元データの画素数を、水平方向及び垂直方向に３倍した表示方式の液晶表示部１４に画像を表示する場合を説明するためのものである。この場合、データ変換回路においては、以下のようなデータ処理が行われる。
尚、画像データソースには、図１（１）を用いて説明したと同様の元データが格納されていることとする。
【００３２】
先ず、元データの各画素と１：１で対応する対応する液晶表示部１４の各画素に対して、元データの画像信号をそのまま表示させる。
このような表示を行うために、元データにおける各画素のアドレス（ｘ，ｙ）を、液晶表示部１４の各画素のアドレス（Ｘ，Ｙ）に対応するように次の式（５）にて変換する。
（Ｘ，Ｙ）＝（３ｘ，３ｙ）…（５）
【００３３】
そして、上記式（５）の条件を満たすアドレス（Ｘ，Ｙ）を有する液晶表示部１４の各画素、すなわち、図３において太線で囲まれた画素には、元データの画像信号ｄ（ｘ，ｙ）をそのまま表示信号Ｄ（Ｘ，Ｙ）として表示させる。
【００３４】
例えば、液晶表示部１４のアドレス（Ｘ，Ｙ）＝（３ｘ，３ｙ）＝（３，３）には、元データのアドレス（ｘ，ｙ）＝（１，１）の画像信号ｄ（１，１）を、表示信号Ｄ（３，３）としてそのまま表示させる。以下同様に、液晶表示部１４のアドレス（Ｘ，Ｙ）＝（３，６）には、元データのアドレス（ｘ，ｙ）＝（１，２）の画像信号ｄ（１，２）を、表示信号Ｄ（３，６）としてそのまま表示させる。
【００３５】
一方、上記式（５）の条件を満たさないその他アドレス（Ｘ，Ｙ）を有する液晶表示部の各画素Ａ〜Ｈには、元データの画像信号ｄ（ｘ，ｙ）に基づいて得た補間信号を表示信号Ｄ（Ｘ，Ｙ）として表示させる。
【００３６】
つまり、各画素Ａ，Ｂ，Ｄ，Ｅには、これらの各画素を囲むように配置された画像信号ｄ（ｘ，ｙ）が表示される４つの画素の表示信号に基づいて得た補間信号Ｄ（Ｘ，Ｙ）を表示信号Ｄ（Ｘ，Ｙ）として表示させる。
例えば、各画素Ａ，Ｂ，Ｄ，Ｅを代表して、アドレス（４，４）の画素Ａに表示させる表示信号Ｄ（４，４）には、表示信号Ｄ（３，３），表示信号Ｄ（３，６），表示信号Ｄ（６，３）及び表示信号Ｄ（６，６）に基づいて得た補間信号を適用する。
【００３７】
また、各画素Ｇ，Ｈには、垂直方向でこれらの画素を挟むように配置された画像信号ｄ（ｘ，ｙ）が表示される２つの画素の表示信号に基づいて補間した補間信号Ｄ（Ｘ，Ｙ）を表示させる。
例えば、画素Ｇ，Ｈを代表して、アドレス（３，５）の画素Ｈに表示させる表示信号Ｄ（３，５）には、表示信号Ｄ（３，３）及び表示信号Ｄ（３，６）に基づいて得た補間信号を適用する。
【００３８】
そして、各画素Ｃ，Ｆには、水平方向でこれらの画素を挟むように配置された画像信号ｄ（ｘ，ｙ）が表示される２つの画素の表示信号に基づいて補間した補間信号Ｄ（Ｘ，Ｙ）を表示させる。
例えば、画素Ｃ，Ｆを代表して、アドレス（４，６）の画素Ｃに表示させる表示信号Ｄ（４，６）には、表示信号Ｄ（３，６）及び表示信号Ｄ（６，６）に基づいて得た補間信号を適用する。
【００３９】
尚、補間信号を得る際に用いる各表示信号（すなわち元データの画像信号）の重み付けは、液晶表示部１４で表示する画像の対象（例えば文字であるのか写真であるのか）によって適宜選択されるように、予め表示品質を調べてプログラムしておく。例えば、写真画像のように、画像領域を大きく捕らえる場合には、周囲の画素の画像信号を距離を考慮に入れて平均して階調値を分散させた補間信号を採用する。一方、文字画像のように、隣接する画素との連続性が重要視される場合には、階調値の大きいまたは小さい補間信号を採用する。
【００４０】
また、補間を行うべき各画素Ａ〜Ｈのうち、水平方向、垂直方向及び斜め方向に隣接する画素に表示信号Ｄ（Ｘ，Ｙ）として画像信号ｄ（ｘ，ｙ）が供給される画素（すなわち図面において破線で囲んだ画素）に対してのみ、補間信号を算出する処理を行うようにプログラムすることで、データ変換回路における処理の高速化を図るようにしても良い。
【００４１】
このような液晶表示装置であっても、図１及び図２を用いて説明した液晶表示装置と同様の効果を得ることができる。
尚、上述の各実施形態においては、垂直方向及び水平方向の画素を整数倍した液晶表示部を用いた場合を説明した。しかし、本発明は、垂直方向及び水平方向の何れか一方のみを整数倍した液晶表示部を用いた液晶表示装置にも適用可能であり、同様の効果を得ることができる。
【００４２】
次に、液晶表示装置の液晶表示部の構成を説明する。
図４は液晶表示部の回路図であり、図５は図４における画素部分の拡大平面図であり、図６は図５におけるＡ−Ａ断面図である。
【００４３】
図４及び図５に示す液晶表示部は、透明基板２０上に、複数行分のゲート線２１と複数列分の信号線２２とがマトリクス状に配線され、その交点に画素２３が形成された構成になっている。画素２３は、薄膜トランジスタ（ＴＦＴ：thin film transistor）２５、液晶セル２６及びホールドコンデンサ２７から構成されている。この画素２３において、薄膜トランジスタ２５は、そのゲート電極２５ａがゲート線２１に、そのソース電極が信号線２２にそれぞれ接続されている。薄膜トランジスタ２５のドレイン電極には、液晶セル２６の透明電極２６ａ及びホールドコンデンサ２７の一方の電極が接続されており、液晶セル２６及びホールドコンデンサ２７の各他方の電極は容量線２８に接続されている。
【００４４】
また、図５及び図６に示すように、薄膜トランジスタ２５は、例えばボトムゲート型のものであり、透明基板２０上にゲート電極２５ａを設け、このゲート電極２５ａ上にゲート絶縁膜２５ｂを介してシリコン層２５ｃを設けてなるものである。シリコン層２５ｃの両端側には、不純物を拡散させてなるソース拡散層Ｓとドレイン拡散層Ｄとが形成されており、ソース拡散層Ｓには、信号線２２が接続され、ドレイン拡散層Ｄには液晶セル２６の透明電極２６ａが接続されている。
【００４５】
ここで、シリコン層２５ｃは、非晶質シリコンまたは多結晶シリコンで構成されることとし、好ましく多結晶シリコンで形成されることとする。
非晶質シリコンの移動度が０．１ｃｍ2 ／Ｖ・ｓｅｃであるのに対して、多結晶シリコンの移動度は１ｃｍ2 ／Ｖ・ｓｅｃ以上と高い。このため、シリコン層２５ｃを、従来の非晶質シリコンに換えて多結晶シリコンで形成することで、薄膜トランジスタ２５のチャネル幅Ｗ1 を増加させることなく画素書き込みの速度を高めることが可能になる。
【００４６】
図７は、薄膜トランジスタにおける書き込み時間を示すグラフである。このグラフに示すように、同一の画素規格においては、非晶質シリコンからなるシリコン層を用いた薄膜トランジスタ（α−ＳｉＴＦＴ）と比較して、多結晶シリコンからなるシリコン層を用いた薄膜トランジスタ（polyＳｉＴＦＴ）の方が、到達電圧に達する時間が１／５程度に短縮されていることが分かる。
【００４７】
また、図８は、画素ピッチと画素の開口率（すなわち、画素面積に対する有効表示面積）との関係を示すグラフである。このグラフに示すように、画素ピッチが小さ６０μｍ以下の領域においては、αＳｉＴＦＴを有する画素と比較して、polyＳｉＴＦＴを有する画素の方が、開口率が高くなることが分かる。
【００４８】
以上のことから、液晶表示部にpolyＳｉＴＦＴを用いることで、上述のように水平方向及び垂直方向の画素数を増加させた液晶表示装置において、開口率を低下させることなく書き込み速度を確保することが可能になるもである。この結果、画質（表示輝度及び書き込み速度）を確保し、しかも単位面積あたりの画素数を増加させた、さらに高精細な液晶表示を行うことが可能になる。
【００４９】
また、図５に示した信号線２２は、例えばアルミニウム（Ａｌ）、銅（Ｃｕ）または銀（Ａｇ）で形成されていることとし、特に好ましくは銅（Ｃｕ）または銀（Ａｇ）のようなアルミニウム（Ａｌ）よりも配線抵抗の小さい材料を選択することとする。
【００５０】
さらに、ゲート線２１及び、このゲート線２１と同一レイアで形成された容量線２８は、例えば、クロム（Ｃｒ）、銅（Ｃｕ）、アルミニウム（Ａｌ）、アルミニウムシリサイド（ＡｌＳｉ）、モリブデン（Ｍｏ）、モリブデン−タンタル（ＭｏＴａ）、モリブデンシリサイド（ＭｏＳｉ）、タングステン（Ｗ）またはタングステンシリサイド（ＷＳｉ）で形成されていることとする。そして特に好ましくは、クロム（Ｃｒ）よりも配線抵抗の小さいクロム（Ｃｒ）以外の上述した材料の内の一つを選択することとする。
【００５１】
このように、信号線２２、ゲート線２１及び容量線２８の材質として上述の好ましい材料を選択することで、液晶表示部の画素数が増加しても、信号線２２の線幅Ｗ2 、ゲート線２１の線幅Ｗ3 及び容量線２８の線幅Ｗ4 の増加を抑えることができる。そして、各画素における信号線２２、ゲート線２１及び容量線２８の配置面積の増加を抑えることが可能になり、これによっても、各画素の開口率を確保することが可能になる。
【００５２】
尚、図９には、トップゲート型の薄膜トランジスタの断面図を示した。この図に示す薄膜トランジスタは、透明基板２０上にポリシリコン層２５ｃを設け、このポリシリコン層２５ｃ上にゲート絶縁膜２５ｂを介してゲート電極２５ａを設けてなるものである。このようなトップゲート型の薄膜トランジスタを用いた液晶表示部においても、上述の液晶表示部と同様にシリコン層２５ｃ、信号線２２、ゲート線及び容量線（図示省略）の材質を特定することで、同様の効果を得ることができる。
【００５３】
【発明の効果】
以上説明したように本発明の液晶表示装置によれば、元データよりも画素数の多い液晶表示部に対して各画素毎に対応する個別の表示を行うようにしたことで、現存する画像表示データをそのまま利用して、高精細な表示を行うことが可能になる。また、液晶表示部における配線の材質を特定することで、各画素の開口率の向上を図ることができるため、画質（書き込み速度や表示輝度）を低下させることなく、しかも単位面積あたりの画素数を増加させた、さらに高精細な液晶表示を行うことが可能になる。
【図面の簡単な説明】
【図１】本発明の液晶表示装置の一実施形態例を説明するための表示図である。
【図２】本発明の液晶表示装置の一実施形態例を示すシステムブロック図である。
【図３】本発明の液晶表示装置の他の施形態例を説明するための表示図である。
【図４】本発明の液晶表示装置を実現するための液晶表示部の構成を説明する回路図である。
【図５】図４における画素部分の拡大平面図である。
【図６】図５における薄膜トランジスタ部分のＡ−Ａ断面図である。
【図７】薄膜トランジスタにおける書き込み時間を示すグラフである。
【図８】画素ピッチと画素の開口率との関係を示すグラフである。
【図９】トップゲート型の薄膜トランジスタの断面図である。
【図１０】従来の液晶表示装置の液晶表示部を説明するための図である。
【図１１】従来の液晶表示装置を説明するためのシステムブロック図である。
【符号の説明】
１２…データ変換回路、１３…液晶表示部、２１…ゲート線、２２…信号線、２５…薄膜トランジスタ、２５ｃ…ポリシリコン層、Ｓ…ソース領域、Ｄ…ドレイン領域
【図１】
0004092799.tif 000002
【図２】
0004092799.tif 000003
【図３】
0004092799.tif 000004
【図４】
0004092799.tif 000005
【図５】
0004092799.tif 000006
【図６】
0004092799.tif 000007
【図７】
0004092799.tif 000008
【図８】
0004092799.tif 000009
【図９】
0004092799.tif 000010
【図１０】
0004092799.tif 000011
【図１１】
0004092799.tif 000012